(57)【要約】      （修正有）【課題】満員のエレベーターかごが不時停止したような場合においても、側部救出扉の開閉を容易に行うことの出来るエレベーターかごの側部救出扉装置を提供する。【解決手段】不時停止エレベーターかご２と救出エレベーターかご３とを救出路１４を介して連結し、不時停止エレベーターかご２の乗客を救出エレベーターかご３に移す。この乗客の救出時に、不時停止エレベーターかご２の側部救出扉７及び救出エレベーターかご３の側部救出扉１２をいずれもかご室側部壁５、１０に平行する方向に移動して開閉する。【選択図】図１
2007326696.tif 000002
【特許請求の範囲】
【請求項１】
エレベーターかご室側部壁に形成された開口部を覆うように設けられた側部救出扉と、上記エレベーターかご室側部壁上方部に上記エレベーターかご室側部壁と平行して延設される第１のガイド部材と、上記エレベーターかご室側部壁下方部に上記エレベーターかご室側部壁と平行して延設される第２のガイド部材と、上記側部救出扉に取り付けられ、上記第１のガイド部材に沿って案内される第１の被ガイド部材と、上記側部救出扉に取り付けられ、上記第２のガイド部材に沿って案内される第２の被ガイド部材と、を備えたことを特徴とするエレベーターかごの側部救出扉装置。
【発明の詳細な説明】
【技術分野】
【０００１】
この発明は不時停止したエレベーターかごの乗客を隣接して設けられた他のエレベーターかごにより救出するときに使用するエレベーターかごの側部救出扉装置に関するものである。
【背景技術】
【０００２】
従来のエレベーターかごの側部救出扉装置としては、かごの外側又は内側より施錠機構を外して救出扉をかごの内側に開く構成のものがある。即ち、通常時は救出扉が救出孔を閉鎖する位置に配置され、施錠機構により施錠される。そして、不時停止したエレベーターかごの乗客を隣接して設けられた他のエレベーターかご、即ち、救出かごにより救出する場合には、救出かごを不時停止かご位置に停止させ、その後、救出かごの救出扉の施錠機構を解錠し、救出扉を救出かごの内側に開放する。
【０００３】
次いで、不時停止かごの救出扉の施錠機構を、不時停止かごの外側又は内側から解錠し、救出扉を不時停止かごの内側に開放する。そして、不時停止かごの救出孔及び救出かごの救出孔を経て乗客を救出かごに救出するようになっている（例えば、特許文献１参照）。
【０００４】
【特許文献１】特開平７−３３０２３６号公報（段落０００７〜段落０００９、図１）
【発明の開示】
【発明が解決しようとする課題】
【０００５】
上記特許文献に開示されたエレベーターかごの側部救出扉装置においては、側部救出扉がかごの内側に開閉される構成になっているため、例えば、乗客が満員の場合、側部救出扉を開閉する際に乗客と側部救出扉が干渉して側部救出扉の開閉が困難であった。
【０００６】
この発明は、上記問題点を解消することを課題にするもので、満員のエレベーターかごが不時停止したような場合においても、側部救出扉の開閉を容易に行うことの出来るエレベーターかごの側部救出扉装置を提供するものである。
【課題を解決するための手段】
【０００７】
この発明に係るエレベーターかごの側部救出扉装置は、エレベーターかご室側部壁に形成された開口部を覆うように設けられた側部救出扉と、上記エレベーターかご室側部壁上方部に上記エレベーターかご室側部壁と平行して延設される第１のガイド部材と、上記エレベーターかご室側部壁下方部に上記エレベーターかご室側部壁と平行して延設される第２のガイド部材と、上記側部救出扉に取り付けられ、上記第１のガイド部材に沿って案内される第１の被ガイド部材と、上記側部救出扉に取り付けられ、上記第２のガイド部材に沿って案内される第２の被ガイド部材と、を備えたことを特徴とするものである。
【発明の効果】
【０００８】
この発明によれば、エレベーターかごの側部救出扉をかご室側部壁に沿って開閉する構成としたので、満員のエレベーターかごが不時停止したような場合においても、側部救出扉の開閉を容易に行うことの出来る効果がある。
【発明を実施するための最良の形態】
【０００９】
以下に添付図面を参照して、この発明に係るエレベーターかごの側部救出扉装置について好適な実施の形態を説明する。
【００１０】
実施の形態１．
図１〜図３は、実施の形態１に係るエレベーターかごの側部救出扉装置の構成を示す図で、図１は昇降路における不時停止エレベーターかごのかご位置に救助エレベーターかごを停止させた状態を示す平面図である。
【００１１】
図１において、昇降路１には不時停止エレベーターかご２に隣接して設けられた救助エレベーターかご３が停止している。不時停止エレベーターかご２は、かご室正面壁４、かご室側部壁５を備えている。かご室側部壁５には開口部６が形成されており、この開口部６を覆うように側部救出扉７が設けられている。そして、昇降路１には不時停止エレベーターかご２の釣合おもり８が設置されている。
【００１２】
救助エレベーターかご３も、不時停止エレベーターかご２と同様に構成されている。即ち、救助エレベーターかご３は、かご室正面壁９、かご室側部壁１０を備えている。かご室側部壁１０には開口部１１が形成されており、この開口部１１を覆うように側部救出扉１２が設けられている。そして、昇降路１には救助エレベーターかご３の釣合おもり１３が設置されている。
【００１３】
不時停止エレベーターかご２の開口部６と、救助エレベーターかご３の開口部１１との間に救出路１４が形成され、エレベーターに不時停止状態が発生したときには、不時停止エレベーターかご２の乗客は、この救出路１４を経由して救助エレベーターかご３に移動する。
【００１４】
図２は図１の不時停止エレベーターかご２の一部分を拡大した平面図である。この図２から理解されるように、かご室側部壁５に設けられた側部救出扉７は、矢印Ｙ方向、即ち、かご室側部壁５に平行する方向に移動して開閉されると共に、かご室正面壁４の端部に施錠機構１５で施錠されるように構成されている。本実施形態による側部救出扉７は、上記のように、かご室側部壁５に対して平行する方向に移動して開閉される構成となっているので、不時停止エレベーターかご２が乗客１６で満員の状態であっても、側部救出扉７を開閉する際に乗客１６と側部救出扉７が干渉することはない。
【００１５】
次に、側部救出扉装置の構成について説明する。図３は図２のＡ−Ａ線方向の縦断面図で、側部救出扉装置の構成を説明するものである。この図３において、不時停止エレベーターかご２のかご室天井１７には、かご室側面上壁１８が一体的に構成されており、このかご室側面上壁１８には、かご室側部壁５と平行する方向に第１のガイド部材、即ち、ガイドレール１９が延設されている。また、側部救出扉７の上方部には、ガイドレール１９にガイドされる第１の被ガイド部材、即ち、ハンガーローラー２０を取り付けた側部救出扉用ハンガー２１が固定ねじ２２により取り付けられている。なお、かご室側面上壁１８と側部救出扉用ハンガー２１とにより、側部救出扉７の上方部を保持するように構成されている。
【００１６】
不時停止エレベーターかご２の床２３には、第２のガイド部材、即ち、側部救出扉用脚案内２４が、かご室側部壁５と平行する方向に延設され、固定されている。この側部救出扉用脚案内２４にはガイド溝２５が形成されており、このガイド溝２５に、側部救出扉７の下方部に取り付けられた第２の被ガイド部材である側部救出扉用脚２６が係合し、摺動可能に構成されている。
【００１７】
上記構成により、側部救出扉７は、上方部においてはハンガーローラー２０がガイドレール１９に沿って、また、下方部においては側部救出扉用脚２６が側部救出扉用脚案内２４のガイド溝２５に沿ってそれぞれ図２の紙面表裏方向に開閉移動する。
【００１８】
なお、図示説明は省略したが、不時停止エレベーターかご２に隣接して設けられる救出エレベーターかご３の側部救出扉１２も不時停止エレベーターかご２の側部救出扉７と同様に構成されている。
【００１９】
実施の形態１に係るエレベーターかごの側部救出扉装置は上記のように構成されており、エレベーターに不時停止状態が発生し、不時停止エレベーターかご２から乗客１６を救出する場合には、先ず、救出エレベーターかご３を不時停止エレベーターかご２の位置に停止させる。その後、救出エレベーターかご３の側部救出扉１２の施錠機構（図示せず）を解錠して側部救出扉１２を開放する。更にその後、不時停止エレベーターかご２の施錠機構１５を解錠して不時停止エレベーターかご２の側部救出扉７を開放する。これにより、不時停止エレベーターかご２と救出エレベーターかご３とが救出路１４（図１参照）を介して連結され、不時停止エレベーターかご２の乗客１６は救出エレベーターかご３に移ることができる。この乗客１６の救出時に、不時停止エレベーターかご２の側部救出扉７及び救出エレベーターかご３の側部救出扉１２はいずれもかご室側部壁５、１０に平行する方向に移動して開閉され、所謂、引き戸として機能する。
【００２０】
以上説明したように、実施の形態１に係るエレベーターかごの側部救出扉装置は、側部救出扉７，１２が、かご室側部壁５，１０に平行する方向に移動して開閉されるので、不時停止エレベーターかご２が乗客１６で満員の状態であっても、側部救出扉７，１２を開閉する際に乗客１６と側部救出扉７，１２が干渉する恐れがなく、側部救出扉７，１２の開閉を容易に行うことの出来る効果がある。
【産業上の利用可能性】
【００２１】
この発明は、不時停止したエレベーターかごの乗客を隣接して設けられた他のエレベーターかごにより救出するエレベーターかごの側部救出扉装として利用できる。
【図面の簡単な説明】
【００２２】
【図１】この発明の実施の形態１を説明する図で、昇降路における不時停止エレベーターかごのかご位置に救助エレベーターかごを停止させた状態を示す平面図である。
【図２】図１の不時停止エレベーターかごの一部分を拡大した平面図である。
【図３】図２のＡ−Ａ線方向の縦断面図で、側部救出扉の構成を説明する図である。
【符号の説明】
【００２３】
１  昇降路                          ２  不時停止エレベーターかご
３  救助エレベーターかご            ４，９  かご室正面壁
５，１０  かご室側部壁              ６，１１  開口部
７，１２  側部救出扉                ８，１３  釣合おもり
１４  救出路                        １５  施錠機構
１６  乗客                          １７  かご室天井
１８  かご室側面上壁                １９  ガイドレール
２０  ハンガーローラー              ２１  側部救出扉用ハンガー
２２  固定ねじ                      ２３  床
２４  側部救出扉用脚案内            ２５  ガイド溝
２６  側部救出扉用脚
【図１】
2007326696.tif 000003
【図２】
2007326696.tif 000004
【図３】
2007326696.tif 000005